(57)【要約】      （修正有）【課題】車両のサイズや給油における油種などの車両情報について、運転に先立って対象者に確認してもらうための車両概要伝達ツールを提供する。【解決手段】車両概要伝達ツールは、ベースシートの一方の面の側に、車両の画像が表示される車両表示部１と、車両についての情報が記入される車両情報部３と、を有し、車両情報部は、車両の車高、車長および車幅の少なくとも一つが記入されるサイズ情報部４、および、車両が使用する燃料の種類が記入される燃料種情報部５を含み、車両表示部および車両情報部は、印刷層を含んで構成される。【選択図】図１
0003225231.tif 000002
【実用新案登録請求の範囲】
【請求項１】
車両の情報を対象者に確認してもらうための車両概要伝達ツールであって、
前記車両の画像が表示される車両表示部と、
前記車両についての情報が記入される領域を特定する車両情報部と、を有し、
前記車両情報部は、前記車両の車高、車長および車幅の少なくとも一つが記入される領域を特定するサイズ情報部、および、前記車両が使用する燃料の種類が記入される領域を特定する燃料種情報部を含み、
前記車両表示部および前記車両情報部は、印刷層を含んで構成される、車両概要伝達ツール。
【請求項２】
前記燃料種情報部には、燃料種の複数の候補が表示されている、請求項１に記載の車両概要伝達ツール。
【請求項３】
前記燃料種の前記候補は、外国語で表示されている、請求項２に記載の車両概要伝達ツール。
【請求項４】
ベースシートと、
前記ベースシートの一方の面と対向する基材層と、
前記基材層上に形成された粘着層と、
前記粘着層と前記ベースシートとの間に介在する離型層と、を有し、
少なくとも前記車両表示部の前記画像は、前記基材層に形成されている、請求項１〜３のいずれか１項に記載の車両概要伝達ツール。
【考案の詳細な説明】
【技術分野】
【０００１】
本考案は、例えばレンタカー会社の営業所内において、貸し出される車両の情報を対象者に確認してもらうための車両概要伝達ツールに関する。
【背景技術】
【０００２】
車両情報が記載された表示媒体に関して、例えば下記の特許文献１に示す車両情報表示カードがある。
【０００３】
特許文献１には、カード所有者の氏名や住所等の所有者情報が表示された所有者情報表示部と、カード所有者の所有又は使用する車両の自動車検査証の有効期間又はその満了日、車両の自動車登録番号又は車両番号、型式、車台番号を含む自動車検査証情報が表示された自動車検査証情報表示部とを備えた、カード所有者が携帯可能な車両情報表示カードが開示されている。
【先行技術文献】
【特許文献】
【０００４】
【特許文献１】実用新案登録第３１２９５２７号公報
【考案の概要】
【考案が解決しようとする課題】
【０００５】
例えばレンタカーを利用する場合など、自己で所有しておらず、あまり馴染みのない車両を運転する場合がある。その場合、利用者は運転する車の詳細な情報を把握していない場合が多い。例えば、高さ制限のある道路を通過したいが、車両がその道路を走行可能な車高を有しているのか分からず、難儀する場合がある。あるいは、給油の際に、レギュラーガソリン、ハイオクガソリン、または軽油のうちどれを入れたらよいのか分からず、難儀する場合がある。
【０００６】
このような車両のサイズや給油における燃料種といった車両情報は、通常、車検証あるいはレンタカー契約時に渡される書面に記載されている。しかしながら、利用者としては、実際に必要性が生じるまで情報を確認しない場合が多い。一方、実際に情報が必要になったときに、（多ページにわたる）書面のどの部分に記載があるのか分からず、困惑する場合が多い。
【０００７】
ところで、近年、訪日外国人の滞在数は増加傾向にあり、例えばレンタカーを借りるなどによって、外国人が日本国において車を運転する機会が増えている。この場合、外国人にとって馴染みのない車種を運転する場合が多く、自身が運転する車両の情報を把握できていない場合が多い。
【０００８】
特に、日本語が分からない外国人にとっては、レギュラーガソリン、ハイオクガソリン、または軽油のどれを給油したらよいのか分からない場合が多い。また、「ハイオク」自体が和製英語であり、外国人にとって意味が分かり難いうえに、レギュラーとハイオクとを分けるオクタン価の基準が日本国と外国（例えば、欧州）とで相違がある。このため、ハイオクが必要にも拘わらずレギュラーを入れてしまうトラブルや、「軽」自動車だから軽油を入れてしまうトラブルが多い。よって、車両情報の中でも給油における油種情報については、間違えて給油すると故障の原因となるため、運転に先立って確認してもらうことが望ましい。
【０００９】
特許文献１に記載のカードは、自己が保有する車両の整備情報を確認し易くするためのものであり、他者に運転させる車両の情報を運転に先立って当該他者に確認させるといった目的には適さない。
【００１０】
そこで、本考案の実施形態は、車両のサイズや給油における油種などの車両情報について、運転に先立って対象者に確認してもらうための車両概要伝達ツールを提供することを目的とする。
【課題を解決するための手段】
【００１１】
本考案の一側面は、車両の情報を対象者に確認してもらうための車両概要伝達ツールであって、前記車両の画像が表示される車両表示部と、前記車両についての情報が記入される領域を特定する車両情報部と、を有し、前記車両情報部は、前記車両の車高、車長および車幅の少なくとも一つが記入される領域を特定するサイズ情報部、および、前記車両が使用する燃料の種類が記入される領域を特定する燃料種情報部を含み、前記車両表示部および前記車両情報部は、印刷層を含んで構成される、車両概要伝達ツールに関する。
【考案の効果】
【００１２】
本考案の実施形態に係る車両概要伝達ツールを用いると、運転前に予め知っておいた方が望ましい重要な車両情報について、対象者に確認してもらうことが容易になる。
【図面の簡単な説明】
【００１３】
【図１】本考案の実施形態に係る車両概要伝達ツールの表面を表す平面図である。
【図２】本考案の実施形態に係るチェックシートのＸ１−Ｘ２線における断面図である。
【図３】本考案の実施形態に係る車両概要伝達ツールを含むパンフレットの態様を説明する図である。
【考案を実施するための形態】
【００１４】
本考案の一実施形態に係る車両概要伝達ツールは、車両の情報を対象者に確認してもらうための車両概要伝達ツールであって、車両の画像が表示される車両表示部と、車両についての情報が記入される領域を特定する車両情報部と、を有してなる。車両情報部は、例えば、車両の車高、車長および車幅の少なくとも一つが記入される領域を特定するサイズ情報部、および、車両が使用する燃料の種類が記入される領域を特定する燃料種情報部を含む。車両表示部および車両情報部は、印刷層を含んで構成される。
【００１５】
この車両概要伝達ツールによれば、運転前に予め知っておいた方が望ましい重要な車両情報については、車両情報部により特定される所定の領域に記入してもらうようにしている。車両情報は、例えば、担当者（例えば、レンタカー会社の従業員）により説明される。担当者は、車両情報を説明するとともに、説明した車両情報を概要書に記入するように対象者に促す。この結果、担当者と対象者の間の適度なコミュニケーションにより、および、車両情報の記入の際に手を動かすことにより、車両情報が対象者の記憶に残り易い。よって、車両情報は、対象者により確実に確認され得る。運転中に確認が必要なときは、車検証などの書面を取り出す必要はなく、車両概要伝達ツールのみを参照すればよい。よって、例えば給油ミスなどのトラブルを低減することができる。
【００１６】
この車両概要伝達ツールを用いると、例えばレンタカーを借りる場合、または自己で所有する車両の点検あるいは故障のため代車を依頼する場合に、貸し出される車両の車両情報について、運転に先立って対象者に説明し、確認してもらうことが容易となる。また、会社内において、複数の社員が複数の社用車を利用している場合に、各社用車の車両情報を社員間で共有することもできる。
【００１７】
車両情報としては、限定されるものではないが、上述の車両の車高、車長および車幅などのサイズ情報、および、車両が使用する燃料種の情報のほか、車両のメーカー、モデル名などの車種情報、車両のナンバープレートの番号などの登録情報、車両の乗員数、重量、最大積載量などが挙げられる。
【００１８】
燃料種情報部には、燃料種の複数の候補が表示されていてもよい。この場合、例えば、複数の候補のうち該当する１つを対象者に選択してもらい、チェックまたは丸を付けてもらう。候補の表示により、燃料種情報が記入される領域および記入方法が特定され得る。これにより、燃料種の確認を容易とすることができる。
【００１９】
この場合、燃料種情報部における燃料種の複数の候補は、外国語で表示されていてもよい。これにより、外国人等であっても燃料種の確認を容易に行うことができる。また、燃料種の複数の候補は、外国語で表示されるとともに、日本語が併せて表示されていてもよい。この場合、給油所の係員に概要書を見せることで、給油所の係員はどの燃料種を給油すればよいか分かるため、給油ミスは抑止され得る。
【００２０】
車両概要伝達ツールは、例えば、ベースシートを有し、ベースシートの一方の面の側に印刷層が形成される。ベースシートは、十分な柔軟性および強度を有し、かつ低コストである観点から、ポリエステル、ポリエチレンテレフタラート（ＰＥＴ）、ポリ塩化ビニル等の樹脂製のシート、フィルム、紙等を用いることができる。印刷層を形成し易く、且つ、車両情報を記入し易い点で、紙製が好ましい。ベースシートは単独の層からなるものであってもよく、複数の層を含むものであってもよい。
【００２１】
車両概要伝達ツールは、さらに、ベースシートの一方の面（表面）と対向する基材層と、基材層上に形成された粘着層と、粘着層とベースシートとの間に介在する離型層と、を有してもよい。この場合、基材層は、粘着層と離型層を介してベースシートと対向しており、ベースシートから剥離することが可能である。この場合、少なくとも車両表示部の画像は、基材層に形成されていてもよい。車両画像が表示される車両表示部を剥がして別の物品に貼付けることができ、外国人にとっては訪日記念のお土産となり得る。
【００２２】
以下、本考案に係る車両概要伝達ツールの構成について、図面を参照しながら、より詳細に説明する。なお、各図面において各構成部品の形状または特徴を明確にするため、これらの寸法を相対的なものとして図示し、必ずしも同一の縮尺比で表したものではない。
【００２３】
図１は、本考案の一実施形態に係る車両概要伝達ツール１０の表面を示す平面図である。車両概要伝達ツール１０は車両表示部１と、車両情報部３とを有する。車両表示部１および車両情報部３は印刷層を含み、印刷により形成され得る。
【００２４】
車両表示部１には、車両の画像２が表示される。画像２は、実際に対象者が利用する車両の外観を模したものであってもよい。
【００２５】
車両情報部３は、車両情報が記入される領域を特定する。図１の例では、枠４が、車両概要伝達ツール１０内の特定箇所に設けられている。車両の車長、車幅、車高の数値は、車両情報の説明を聞いた対象者により、枠４内に記入される。すなわち、枠４は、車両情報のうち、車両の車長、車幅、車高が記入される領域を特定するサイズ情報部としての役割を有する。
【００２６】
また、車両情報部３は、車種、乗員数、燃料種を記入するための領域５を含む。領域５は、車両情報のうち、車種、乗員数、燃料種が記入される領域を特定する燃料種情報部としての役割を有する。
【００２７】
領域５内には、車種、乗員数、および燃料種が、特定の箇所に記入されるように、例えば説明書きとして、「Ｃａｒ  Ｍｏｄｅｌ」、「Ｎｕｍｂｅｒ  ｏｆ  ｐａｓｓｅｎｇｅｒｓ  ａｌｌｏｗｅｄ」、「Ｔｙｐｅ  ｏｆ  ｆｕｅｌ」のような記載が外国語（ここでは、英語）で表示されている。これにより、外国人であっても、車両情報をどこに記入すべきかを理解できる。なお、外国語は、特に限定されないが、車を運転する対象者の母国語、あるいは対象者が理解可能な言語が選択され得る。外国語としては、例えば、英語、中国語、韓国語、ドイツ語、フランス語などが挙げられる。
【００２８】
車両情報のうち燃料種情報については、ハイオク（Ｈｉｇｈ  Ｏｃｔａｎｅ）、レギュラー（Ｒｅｇｕｌａｒ）、軽油（Ｄｉｅｓｅｌ）などの候補が車両情報部３の領域５内に表示されている。対象者は、これら候補のうち該当するものを選択し、丸またはチェックなどの印を付けるだけでよい。
【００２９】
車両概要伝達ツール１０は、コード画像が表示されるコード画像表示部６をさらに有していてもよい。コード画像は、例えば携帯電話などにより読み取られ、車両の詳細情報を提示するウェブサイト、または、車両情報を説明する動画が携帯電話などに表示され得る。外国語のウェブサイトまたは外国語の動画が携帯電話などに表示されるようにしてもよい。表示される外国語の情報は、コード画像に埋め込んでおけばよい。コード画像は、一次元のバーコード画像であってもよく、ＱＲコード（登録商標）などの二次元画像であってもよい。
【００３０】
図２に、車両概要伝達ツール１０のＸ１−Ｘ２線における模式的な断面図を示す。ベースシート１１の一方の面（表面）に、印刷層である車両情報部３（枠４）が形成されている。また、ベースシート１１の一方の面には、離型層１２、粘着層１３、および、基材層１４が、この順で積層されている。印刷層のうち車両の画像２を含む車両表示部１は、基材層１４に形成されている。基材層１４は、離型層１２および粘着層１３を介してベースシート１１に粘着している。すなわち、画像２を含む車両表示部１はステッカーになっており、別の場所に粘着層１３を介して貼付けることが可能である。
【００３１】
粘着層１３は、想定される貼着箇所に対して十分な粘着性を発揮するものを適宜使用すればよく、特に限定されない。適度な粘着性及び剥離性を備える点で、紫外線硬化性樹脂を含んでいてもよい。例えば、アクリル樹脂を主成分とするものを用いてもよい。
【００３２】
離型層１２は、粘着層１３の粘着性を保持しつつ、粘着層１３を保護する機能を有する。また、粘着層１３がベースシート１１に粘着することを防止する。離型層１２の材料は、上記の機能を十分に発揮できるものであれば特に限定されない。優れた離型性を有することから、シリコーン樹脂を用いてもよい。
【００３３】
車両概要伝達ツール１０は、対象者（外国人等）による確認後、例えば、ケースに収容され、外国人等に提供され得る。図３に、例えば外国人向けに提供されるケース２０の内容を一例として示す。ケース２０は、チェックシート２１と、上述の車両概要伝達ツール１０と、ミニパンフレット２３〜２５と、カバー２６と、を備える。
【００３４】
カバー２６は、ポケット２６ｃが設けられた第１面２６ａと、第１面２６ａに隣接する第２面２６ｂを有する。第２面２６ｂには、ミニパンフレット２３〜２５を収納するためのスリット２３Ｓ、２４Ｓ、２５Ｓが設けられている。
【００３５】
チェックシート２１は、日本国の交通法規について外国人等が説明を受け、確認したことを示す書面であり、車両概要伝達ツール１０とともにカバー２６のポケット部分に収納される。
【００３６】
ミニパンフレット２３は、例えば、ガソリンスタンドおよび駐車場の利用方法が表示された、蛇腹折りのパンフレット（リーフレット）であり、例えばカバー２６のスリット２３Ｓにより形成される隙間に収納され得る。同様に、ミニパンフレット２４は、例えば、高速道路の利用方法が表示された、蛇腹折りのパンフレット（リーフレット）であり、例えばカバー２６のスリット２４Ｓにより形成される隙間に収納され得る。同様に、ミニパンフレット２５は、例えば、事故あるいは災害時の対処方法が表示された、蛇腹折りのパンフレット（リーフレット）であり、例えばカバー２６のスリット２５Ｓにより形成される隙間に収納され得る。
【００３７】
チェックシート２１、車両概要伝達ツール１０、および、ミニパンフレット２３〜２５を収納した状態で、第１面２６ａと第２面２６ｂとが対向するようにポケット部分を内側にしてカバー２６を２つ折りにすることで、ケース２０が構成される。
【産業上の利用可能性】
【００３８】
本考案に係る車両概要伝達ツールは、例えばレンタカー会社において、車両のサイズや給油における燃料種などの車両情報について、運転に先立って対象者に確認してもらうためのツールとして利用することができる。
【符号の説明】
【００３９】
１：  車両表示部       
２：  画像
３：  車両情報部
４：  枠（サイズ情報部）
５：  領域（燃料種情報部）
６：  コード画像表示部
１０：  車両概要伝達ツール
１１：  ベースシート
１２：  離型層
１３：  粘着層
１４：  基材層
２０：  ケース
２１：  チェックシート
２３、２４、２５  ミニパンフレット
２６  カバー
２３Ｓ、２４Ｓ、２５Ｓ：  スリット
２６ａ：  第１面
２６ｂ：  第２面
２６ｃ：  ポケット
【図１】
0003225231.tif 000003
【図２】
0003225231.tif 000004
【図３】
0003225231.tif 000005
【手続補正書】
【提出日】令和1年12月10日(2019.12.10)
【手続補正１】
【補正対象書類名】実用新案登録請求の範囲
【補正対象項目名】全文
【補正方法】変更
【補正の内容】
【実用新案登録請求の範囲】
【請求項１】
車両の情報を対象者に確認してもらうための車両概要伝達ツールであって、
ベースシートと、
前記ベースシートの一方の面の側に形成され、前記車両の画像が表示される車両表示部と、
前記ベースシートの前記一方の面の側に形成され、前記車両についての情報が記入される領域を特定する車両情報部と、を有し、
前記車両情報部は、前記車両の車高、車長および車幅の少なくとも一つが記入される領域を特定するサイズ情報部、および、前記車両が使用する燃料の種類が記入される領域を特定する燃料種情報部を含み、
前記車両表示部および前記車両情報部は、印刷層を含んで構成される、車両概要伝達ツール。
【請求項２】
前記燃料種情報部には、燃料種の複数の候補が表示されている、請求項１に記載の車両概要伝達ツール。
【請求項３】
前記燃料種の前記候補は、外国語で表示されている、請求項２に記載の車両概要伝達ツール。
【請求項４】
前記ベースシートの前記一方の面と対向する基材層と、
前記基材層上に形成された粘着層と、
前記粘着層と前記ベースシートとの間に介在する離型層と、をさらに有し、
少なくとも前記車両表示部の前記画像は、前記基材層に形成されている、請求項１〜３のいずれか１項に記載の車両概要伝達ツール。
【手続補正２】
【補正対象書類名】明細書
【補正対象項目名】００１１
【補正方法】変更
【補正の内容】
【００１１】
本考案の一側面は、車両の情報を対象者に確認してもらうための車両概要伝達ツールであって、ベースシートと、前記ベースシートの一方の面の側に形成され、前記車両の画像が表示される車両表示部と、前記ベースシートの前記一方の面の側に形成され、前記車両についての情報が記入される領域を特定する車両情報部と、を有し、前記車両情報部は、前記車両の車高、車長および車幅の少なくとも一つが記入される領域を特定するサイズ情報部、および、前記車両が使用する燃料の種類が記入される領域を特定する燃料種情報部を含み、前記車両表示部および前記車両情報部は、印刷層を含んで構成される、車両概要伝達ツールに関する。